(57)【要約】【課題】チャンネル選局直後に、受信可能なより高品質の階層の放送コンテンツをすばやく再生する。【解決手段】デジタル放送受信装置は、選局対象の物理チャンネルの受信感度を測定する受信感度測定部（２０）と、受信したストリームに含まれる情報に基づいて、選局対象の放送サービスが複数の階層にまたがってサービスグループ化されているか否かを判定するサービスグループ判定部（３０）と、受信感度測定部（２０）による測定結果及びサービスグループ判定部（３０）による判定結果に基づいて選局すべき階層を決定し、当該決定した階層の放送サービスを選局する選局部（４０）とを備えている。【選択図】図１
2008219717.tif 000002
【特許請求の範囲】
【請求項１】
複数の階層で伝送される放送コンテンツを受信するデジタル放送受信装置であって、
選局対象の物理チャンネルの受信感度を測定する受信感度測定部と、
受信したストリームに含まれる情報に基づいて、選局対象の放送サービスが複数の階層にまたがってサービスグループ化されているか否かを判定するサービスグループ判定部と、
前記受信感度測定部による測定結果及び前記サービスグループ判定部による判定結果に基づいて選局すべき階層を決定し、当該決定した階層の放送サービスを選局する選局部とを備えた
ことを特徴とするデジタル放送受信装置。
【請求項２】
請求項１に記載のデジタル放送受信装置において、
前記選局部は、選局対象の放送サービスが強階層及び弱階層にまたがってサービスグループ化されており、かつ、当該弱階層の受信感度が不十分であると判断したとき、当該強階層を選局すべきものとして決定する
ことを特徴とするデジタル放送受信装置。
【請求項３】
複数の階層で伝送される放送コンテンツを受信するデジタル放送受信装置であって、
各チャンネルの情報を記憶するチャンネル情報記憶部と、
前記チャンネル情報記憶部に記憶されたチャンネル情報に基づいて、各物理チャンネルの受信感度を測定する受信感度測定部と、
前記チャンネル情報記憶部に記憶されたチャンネル情報に基づいて、各チャンネルの放送サービスが複数の階層にまたがってサービスグループ化されているか否かを判定するサービスグループ判定部と、
前記受信感度測定部による測定結果及び前記サービスグループ判定部による判定結果に基づいて、受信可能な階層のチャンネルリストを生成するチャンネルリスト生成部と、
前記生成されたチャンネルリストから選択された階層の放送サービスを選局する選局部とを備えた
ことを特徴とするデジタル放送受信装置。
【請求項４】
複数の階層で伝送される放送コンテンツを受信するデジタル放送受信装置であって、
各チャンネルの情報を記憶するチャンネル情報記憶部と、
前記チャンネル情報記憶部に記憶されたチャンネル情報に基づいて、現在選局中の物理チャンネルの受信感度を測定する受信感度測定部と、
前記チャンネル情報記憶部に記憶されたチャンネル情報に基づいて、各チャンネルの放送サービスが複数の階層にまたがってサービスグループ化されているか否かを判定するサービスグループ判定部と、
前記受信感度測定部による測定結果及び前記サービスグループ判定部による判定結果に基づいて、受信可能な階層のチャンネルリストを生成するチャンネルリスト生成部と、
前記生成されたチャンネルリストから選択された階層の放送サービスを選局する選局部とを備えた
ことを特徴とするデジタル放送受信装置。
【請求項５】
請求項３及び４のいずれか一つに記載のデジタル放送受信装置において、
前記チャンネルリスト生成部は、選局対象の放送サービスが強階層及び弱階層にまたがってサービスグループ化されており、かつ、当該弱階層の受信感度が不十分であると判断したとき、当該強階層を受信可能な階層としてリスト化する
ことを特徴とするデジタル放送受信装置。
【請求項６】
請求項１、３及び４のいずれか一つに記載のデジタル放送受信装置において、
前記受信感度測定部は、受信チャンネルのＣ／Ｎ比、ビットエラーレート及びＡＧＣ値の少なくとも一つに基づいて受信感度を算出する
ことを特徴とするデジタル放送受信装置。
【発明の詳細な説明】
【技術分野】
【０００１】
本発明は、デジタル放送受信装置に関し、特に、複数の階層で伝送される放送コンテンツを受信するデジタル放送受信装置に関する。
【背景技術】
【０００２】
デジタル放送では、物理的な周波数にマッピングされたチャンネル帯域が１３のセグメントに分けられている。これらセグメントの利用方法はデジタル放送に関するさまざまな規格で定められている。例えば、地上デジタル音声放送では、１セグメント形式で放送される場合と３セグメント形式で放送される場合とがある。３セグメント形式での放送では、中心の１セグメントを強階層とし、その両側の２セグメントを弱階層とする階層伝送が可能となる。強階層のセグメントは、多くの情報を送出することができないが安定して受信することができるといった特徴を有し、音声放送で最低限必要な音声ＥＳ（Elementary Stream）や簡易データを伝送する。一方、弱階層のセグメントは、強階層よりも高い受信感度を必要とし、高品質音声ＥＳや写真や図などのより多くの情報（拡張データ）を送出することができる。したがって、階層伝送によって、受信状況に応じて品質の異なるサービスの提供を行うことが可能となる。例えば、弱階層を受信中に受信状態が悪化した場合、弱階層の放送コンテンツと強階層の放送コンテンツとが同じであれば強階層に切り換えることで、品質は低下するもののユーザは同じコンテンツを視聴し続けることができる（例えば、特許文例１参照）。
【０００３】
強階層及び弱階層のそれぞれにはサービス番号が付与されており、独立した放送コンテンツの提供が可能となっている。そこで、サービス番号を用いて、強階層による放送サービスと弱階層による放送サービスとをグループ化しておくことにより、これら放送サービスの切り替えが容易になる。例えば、強階層のサービス番号が指定されたときに、サービスグループ化された弱階層を受信することで、自動的に高品質のコンテンツを再生することができる。さらに、サービスグループ化されたチャンネルの選局が指示されたとき、まず弱階層の受信を試みて、その受信感度が不十分であれば自動的に強階層を受信するといったことも可能である。
【特許文献１】特開２００６―５０５４０号公報
【発明の開示】
【発明が解決しようとする課題】
【０００４】
しかし、特にチャンネルを切り換える選局直後に弱階層が受信できるか否かを判断するためには、ＰＡＴ（Program Association Table）やＰＭＴ（Program Map Table）などが一定時間内にあるいは映像や音声がデコードできるまでに受信できたか否かを判断する必要がある。このため、チャンネル選局直後に弱階層が受信できるか否かの判断をすばやく行うことは困難である。したがって、あるサービスグループ化されたチャンネルの選局が指示されたとき、受信装置はまず高品質の弱階層を受信しようと試みてから、受信感度が不十分で結果的に強階層に切り替えるまでに相当な時間を要し、その間、ユーザは放送コンテンツを視聴することができないという不便さがある。
【０００５】
上記問題に鑑み、本発明は、チャンネル選局直後に、受信可能なより高品質の階層の放送コンテンツをすばやく再生可能なデジタル放送受信機を提供することを課題とする。
【課題を解決するための手段】
【０００６】
上記課題を解決するために本発明が講じた手段は、複数の階層で伝送される放送コンテンツを受信するデジタル放送受信装置として、選局対象の物理チャンネルの受信感度を測定する受信感度測定部と、受信したストリームに含まれる情報に基づいて、選局対象の放送サービスが複数の階層にまたがってサービスグループ化されているか否かを判定するサービスグループ判定部と、受信感度測定部による測定結果及びサービスグループ判定部による判定結果に基づいて選局すべき階層を決定し、当該決定した階層の放送サービスを選局する選局部とを備えたものとする。
【０００７】
これによると、チャンネル選局直後に選局対象の物理チャンネルの受信感度が測定されるとともに、受信したストリームに含まれる情報に基づいて選局対象がサービスグループ化されているか否かが判定され、これら測定結果及び判定結果に基づいて、選局すべき階層が決定される。
【０００８】
好ましくは、選局部は、選局対象の放送サービスが強階層及び弱階層にまたがってサービスグループ化されており、かつ、当該弱階層の受信感度が不十分であると判断したとき、当該強階層を選局すべきものとして決定するものとする。
【０００９】
一方、複数の階層で伝送される放送コンテンツを受信するデジタル放送受信装置として、各チャンネルの情報を記憶するチャンネル情報記憶部と、チャンネル情報記憶部に記憶されたチャンネル情報に基づいて、各物理チャンネルの受信感度を測定する受信感度測定部と、チャンネル情報記憶部に記憶されたチャンネル情報に基づいて、各チャンネルの放送サービスが複数の階層にまたがってサービスグループ化されているか否かを判定するサービスグループ判定部と、受信感度測定部による測定結果及びサービスグループ判定部による判定結果に基づいて、受信可能な階層のチャンネルリストを生成するチャンネルリスト生成部と、生成されたチャンネルリストから選択された階層の放送サービスを選局する選局部とを備えたものとする。
【００１０】
また、複数の階層で伝送される放送コンテンツを受信するデジタル放送受信装置として、各チャンネルの情報を記憶するチャンネル情報記憶部と、チャンネル情報記憶部に記憶されたチャンネル情報に基づいて、現在選局中の物理チャンネルの受信感度を測定する受信感度測定部と、チャンネル情報記憶部に記憶されたチャンネル情報に基づいて、各チャンネルの放送サービスが複数の階層にまたがってサービスグループ化されているか否かを判定するサービスグループ判定部と、受信感度測定部による測定結果及びサービスグループ判定部による判定結果に基づいて、受信可能な階層のチャンネルリストを生成するチャンネルリスト生成部と、生成されたチャンネルリストから選択された階層の放送サービスを選局する選局部とを備えたものとする。
【００１１】
好ましくは、チャンネルリスト生成部は、選局対象の放送サービスが強階層及び弱階層にまたがってサービスグループ化されており、かつ、当該弱階層の受信感度が不十分であると判断したとき、当該強階層を受信可能な階層としてリスト化するものとする。
【００１２】
また、好ましくは、受信感度測定部は、受信チャンネルのＣ／Ｎ比、ビットエラーレート及びＡＧＣ値の少なくとも一つに基づいて受信感度を算出するものとする。
【発明の効果】
【００１３】
以上のように本発明によると、チャンネル選局直後に、受信可能なより高品質の放送コンテンツをすばやく再生することができる。
【発明を実施するための最良の形態】
【００１４】
以下、本発明を実施するための最良の形態について、図面を参照しながら説明する。
【００１５】
（第１の実施形態）
図１は、第１の実施形態に係るデジタル放送受信装置の構成を示す。本デジタル放送受信装置は、チューナ１０、受信感度測定部２０、サービスグループ判定部３０、及び選局部４０を備えている。図２のフローチャートを参照しながら本デジタル放送受信装置の動作について説明する。
【００１６】
まず、ユーザなどからチャンネル選局が指示されると（Ｓ１１）、受信感度測定部２０は、チューナ１０から受信感度を示すデータを少なくとも一つ受け取る。当該データは、例えば、Ｃ／Ｎ比、ビットエラーレート、ＡＧＣ（Auto Gain Control）値などである。受信感度測定部２０は、当該データを単独で又は適宜組み合わせて選局対象の物理チャンネルの受信感度を算出する。そして、算出した受信感度に基づいて、弱階層が受信可能であるかどうかを判断する（Ｓ１２）。当該判断の基準は、例えば、受信装置の開発段階で実験によって求められた数値を使う手法や、以前に別の手段によって受信状態が不良であると判断されたときの数値を使う手法などがある。
【００１７】
サービスグループ判定部３０は、受信したＴＳ中のＰＡＴやＰＭＴに代表されるＰＳＩ（Program Specific Information）を解析して、強階層と弱階層にまたがってサービスグループが組まれている（サービスグループ化）かどうかを判定する（Ｓ１３）。サービスグループ化されているかどうかは、ＰＭＴに示されているＰＩＤ（Packet Indentifier）の組み合わせで判断する手法や、ＰＭＴで示される階層伝送記述子を確認する手法や、ＮＩＴ（Network Information Table）で示されるサービスＩＤで確認する手法などがある。
【００１８】
選局部４０は、受信感度測定部２０によって弱階層の受信感度が不十分であると判断され、かつ、サービスグループ判定部３０によって強階層と弱階層がサービスグループ化されている判断されたとき（Ｓ１４のＹＥＳ肢）、チューナ１０に強階層の選局を指示する（Ｓ１５）。一方、弱階層の受信感度が十分であり、かつ、強階層と弱階層がサービスグループ化されているとき（Ｓ１４のＮＯ肢）、選局部４０はチューナ１０に弱階層の選局を指示する（Ｓ１６）。
【００１９】
以上、本実施形態によると、チャンネル選局直後に弱階層の受信の可否が即座に判断され、受信可能な場合には高品質の弱階層の放送コンテンツが、受信不可能な場合には低品質ながらも安定的に受信可能な強階層の放送コンテンツをすぐさま再生することができる。
【００２０】
（第２の実施形態）
図３は、第２の実施形態に係るデジタル放送受信装置の構成を示す。本デジタル放送受信装置は、チューナ１０、受信感度測定部２０、サービスグループ判定部３０、選局部４０、チャンネルリスト生成部５０及びチャンネル情報記憶部６０を備えている。図４のフローチャートを参照しながら本デジタル放送受信装置の動作について説明する。
【００２１】
まず、ユーザなどからチャンネルリストの表示が指示されると（Ｓ２１）、受信感度測定部２０は、チャンネル情報記憶部６０に記憶されたチャンネル情報に基づいて、チューナ１０から各物理チャンネルあるいは現在受信中の物理チャンネルの受信感度を示すデータを少なくとも一つ受け取る。受信感度を示すデータは上述したとおりである。受信感度測定部２０は、当該データを単独で又は適宜組み合わせて各物理チャンネルあるいは現在受信中の物理チャンネルの受信感度を算出する。そして、算出した受信感度に基づいて、各弱階層が受信可能であるかどうかを判断する（Ｓ２２）。当該判断の基準は上述したとおりである。
【００２２】
サービスグループ判定部３０は、チャンネル情報記憶部６０に記憶されたチャンネル情報に基づいて、各チャンネルの放送サービスが強階層と弱階層とがサービスグループ化されているかどうかを判定する（Ｓ２３）。チャンネルリスト生成部５０は、各チャンネルについて、受信感度測定部２０によって弱階層の受信感度が不十分であると判断され、かつ、サービスグループ判定部３０によって強階層と弱階層とがサービスグループ化されている判断されたとき（Ｓ２４のＹＥＳ肢）、当該チャンネルを強階層としてリスト化する（Ｓ２５）。すなわち、弱階層はリスト表示しないようにする。一方、弱階層の受信感度が十分であり、かつ、強階層と弱階層とがサービスグループ化されているとき（Ｓ２４のＮＯ肢）、チャンネルリスト生成部６０は、当該チャンネルを弱階層としてリスト化する（Ｓ２６）。ただし、受信装置が移動体に搭載されている場合、チャンネルリスト表示中に受信装置が受信エリア内を移動することがあるため、サービス番号としてはサービスグループである強階層のものを表示し、チャンネル情報としては弱階層のものを表示するようにする。その後、生成したチャンネルリストの中からいずれかの階層が選択されると、チャンネルリスト生成部６０は選局部４０に対して当該選択された階層の選局を指示し、選局部４０はチューナ１０に当該指示された階層の選局を指示する（Ｓ２７）。
【産業上の利用可能性】
【００２３】
本発明に係るデジタル放送受信装置は、チャンネル選局直後に、受信可能なより高品質の放送コンテンツをすばやく再生することができるため、特に可搬型のデジタル放送受信機として有用である。
【図面の簡単な説明】
【００２４】
【図１】第１の実施形態に係るデジタル放送受信装置の構成図である。
【図２】図１のデジタル放送受信装置のフローチャートである。
【図３】第２の実施形態に係るデジタル放送受信装置の構成図である。
【図４】図３のデジタル放送受信装置のフローチャートである。
【符号の説明】
【００２５】
２０  受信感度測定部
３０  サービスグループ判定部
４０  選局部
５０  チャンネルリスト生成部
６０  チャンネル情報記憶部
【図１】
2008219717.tif 000003
【図２】
2008219717.tif 000004
【図３】
2008219717.tif 000005
【図４】
2008219717.tif 000006